(57)【要約】【課題】舗装面での日光の照り返しや輻射熱による周囲温度の上昇を抑えるとともに、土本来の質感および性質を得ることができる舗装構造およびその舗装方法を提供する。【解決手段】舗装構造は、骨材の間に連続的な空隙を有するように敷設された透水性舗装３０と、透水性舗装３０の上に散布されて透水性舗装３０の表面を覆う真砂土３とを有する。【選択図】図１
2007107221.tif 000002
【特許請求の範囲】
【請求項１】
骨材の間に連続的な空隙を有するように敷設された舗装体と、
前記舗装体の上に散布されて前記舗装体の表面を覆う土と、
を有する舗装構造。
【請求項２】
前記土は真砂土である、請求項１に記載の舗装構造。
【請求項３】
前記舗装体はアスファルト舗装体であり、前記骨材の最大粒径が２０ｍｍであるとともに、前記舗装体の空隙率が２３％〜２７％である、請求項１または２記載の舗装構造。
【請求項４】
骨材の間に連続的な空隙を持たせた状態に舗装体を敷設する工程と、
前記舗装体の上に土を散布し、前記舗装体の表面を前記土で覆う工程と、
を有する舗装方法。
【請求項５】
前記土は真砂土である、請求項４に記載の舗装方法。
【請求項６】
前記舗装体はアスファルト舗装体であり、前記骨材の最大粒径が２０ｍｍであるとともに、前記舗装体の空隙率が２３％〜２７％である、請求項４または５に記載の舗装方法。
【発明の詳細な説明】
【技術分野】
【０００１】
本発明は、地面上に構成される舗装構造およびその舗装方法に関するものである。
【背景技術】
【０００２】
従来から、住宅の庭や公園などにおいて、降雨時に地面にぬかるみが生じるのを防ぐためにアスファルトやコンクリートで地面を舗装することが広く行われている。また、真砂土等の土とこれを固める固化材とを混合してなる舗装材を敷設し、その舗装材を締め固めることで舗装を施す方法が特許文献１に提案されている。
【特許文献１】特開２００３−１１９７０６号公報
【発明の開示】
【発明が解決しようとする課題】
【０００３】
ところが、アスファルトやコンクリートによる舗装面は日光を反射し、特に夏場では舗装面での反射光（照り返し）によって住宅や公園の周囲の気温が上昇してしまう。さらに、アスファルトやコンクリートは地面よりも蓄熱性が高いため、昼間に日光で温められた舗装面から長時間にわたって輻射熱が放射され、夜間になっても周囲の気温が低下しにくくなる。
【０００４】
また、一般的な舗装では透水性が低く水はけが悪いため、降雨時に雨水が舗装面の上に溜まり、歩行者の足元で水はねが生じるという問題もある。近年では、比較的大粒（トップサイズが約１３ｍｍ）の骨材を用いた舗装材を内部に空隙を設けて敷設することで透水性を持たせた透水性舗装が普及してきており、このような透水性舗装を施すことで水はけを改善することは可能である。しかしながら、透水性舗装も、上述した日光の照り返しや輻射熱に関する問題を含んでいることに変わりはない。
【０００５】
さらに、アスファルトやコンクリートによる舗装面は人工的で無機質な印象を与えるため、自然な風合いが好まれる住宅の庭や公園などの景観を損ねてしまうという問題もある。これに対し、真砂土等の土とこれを固める固化材とを混合してなる舗装材を用いた舗装方法によれば、土の質感が表面に現れた舗装を施すことはできる。しかしながら、この舗装では土の粒子同士が固化材で結合されるため、土本来の粒子のさらさらした性質を得ることはできない。さらに、土の粒子同士の空隙が固化材で充填されるため、土そのものに比べて透水性および保水性が低くなる。
【０００６】
本発明は上述した問題に鑑みてなされたものであり、舗装面での日光の照り返しや輻射熱による周囲温度の上昇を抑えるとともに、土本来の質感および性質を得ることができる舗装構造およびその舗装方法を提供することを目的とする。
【課題を解決するための手段】
【０００７】
上記目的を達成するため、本発明の舗装構造は、骨材の間に連続的な空隙を有するように敷設された舗装体と、前記舗装体の上に散布されて前記舗装体の表面を覆う土と、を有する
また、本発明の舗装方法は、骨材の間に連続的な空隙を持たせた状態に舗装体を敷設する工程と、前記舗装体の上に土を散布し、前記舗装体の表面を前記土で覆う工程と、を有する
上記本発明によれば、舗装体が土によって覆われるため、舗装体の表面での日光の照り返しがなく、また、日光で温められた舗装体の表面から放射される輻射熱を抑えることができる。そのため、舗装面が露出した従来の舗装に比べて周囲温度の上昇を抑えることができる。
【０００８】
さらに、本発明では土は舗装体の上に単に散布しただけの状態で敷設されるので、土の質感が表面に現れ、かつ土が有するさらさらした性質を得ることができるとともに、土そのものが有する透水性および保水性を発揮させることができる。したがって、本発明における土は、土の粒子の間に生じる毛細管現象によって水分を貯えることができる。土に貯えられた水分は、舗装構造に日光が照射されたり周囲の気温が上昇したりすると周囲から気化熱を吸収して蒸発し、周囲の気温を低下させる。したがって、土に定期的に散水することで、例えば夏場でも、本発明の舗装構造が施された住居の庭や公園の環境を涼しく保つことが可能になる。
【０００９】
また、土は散布後に舗装体の空隙内に入り込み、この空隙内に保持されるので、降雨によって土が雨水を含んだ状態となった場合でもぬかるみが生じることはない。さらに、多量の雨が降った場合には、雨水は、舗装体を通ってその下層に排出されるので、舗装構造の上に水溜まりが生じにくい。
【００１０】
本発明においては、前記土は真砂土であってもよい。
【００１１】
さらに、前記舗装体はアスファルト舗装体であり、前記骨材の最大粒径が２０ｍｍであるとともに、前記舗装体の空隙率が２３％〜２７％であってもよい。
【発明の効果】
【００１２】
以上説明したように、本発明によれば、舗装面での日光の照り返しや輻射熱による周囲温度の上昇を抑えるとともに、土本来の質感および性質を得ることができる舗装構造およびその舗装方法を提供することができる。
【発明を実施するための最良の形態】
【００１３】
次に、本発明の実施形態について図面を参照して説明する。
【００１４】
図１（ａ）は本発明の一実施形態に係る舗装構造の断面を示す図であり、図１（ｂ）は図１（ａ）におけるアスファルト混合物および真砂土からなる舗装層を拡大して示す図である。
【００１５】
本実施形態の舗装構造は、地面Ｇに形成した路床１０と、この上に砕石１またはこれにセメントを混合処理したものを敷設して形成した路盤２０と、路盤２０の上にアスファルト混合物２を敷設して形成した透水性舗装３０と、透水性舗装３０の上に散布されて透水性舗装３０の表面を覆う真砂土３と、を有している。
【００１６】
路床１０は、地面Ｇの舗装構造を施す領域を掘削等することによって形成される。路盤２０を形成する砕石１は、新品のものであれば単体で使用してもよく、あるいは既に舗装に用いられたものを再使用する場合にはこれにセメントを混合処理したものを使用してもよい。路盤２０は透水性と非透水性のどちらであってもよいが、透水性を有する場合には、透水性舗装３０を透過してきた水を路床１０に排水できるため、舗装構造の水はけ性をより向上させることが可能である。なお、本実施形態では路盤２０を有する構造を例に挙げて説明しているが、地面の状態等によっては路盤２０を省略して施工することも可能である。
【００１７】
透水性舗装３０は、アスファルト混合物２の骨材の間に連続した空隙が形成されたポーラス構造を有している。従来から一般的に行われている透水性舗装では、アスファルト混合物の骨材である砕石のトップサイズ（最大粒径）が１３ｍｍであり、アスファルト混合物中に形成された空隙の割合を示す空隙率は約１５％である。これに対し、本実施形態における透水性舗装３０は、アスファルト混合物２の骨材のトップサイズが２０ｍｍであり、空隙率が２５％である。このように、本実施形態の透水性舗装３０は従来の透水性舗装に比べて透水性が高くなっている。
【００１８】
真砂土３は、花崗岩の類が風化してできた、粒径が比較的揃った砂状の土であり、さらさらした質感を有している。そのため、透水性および保水性に優れ、さらには衝撃吸収性を有するため歩行に適していることから、住宅の庭や公園などの舗装に適した素材である。本実施形態の舗装構造では、真砂土３は、透水性舗装３０の上に散布されて透水性舗装３０の表面を覆っている。透水性舗装３０の上に散布された真砂土３の一部は、透水性舗装３０の空隙内に入り込んでその空隙内に保持される。
【００１９】
次に、本実施形態の舗装構造の舗装方法について、図２を参照して説明する。
【００２０】
まず、図２（ａ）に示すように、地面Ｇの舗装構造を施す領域に路床１０を形成する。路床１０は、地面Ｇの表面を必要な深さに掘削した後にローラ（不図示）等で締め固めたり、あるいは地面Ｇの表面をそのままローラ等で締め固めたりして形成することができる。図２（ａ）では、地面Ｇの表面を掘削して路床１０を形成する場合を示している。なお本実施形態では、後工程で形成する路盤２０や透水性舗装３０の厚みを考慮して地面Ｇを１５０〜２５０ｍｍの深さに掘削した。
【００２１】
次に、図２（ｂ）に示すように、路床１０上に砕石１あるいはこれにセメントを混合処理したものを敷設し、それをローラ等によって締め固めて路盤２０を形成する。本実施形態では、路盤２０を１００〜２００ｍｍの厚さに形成した。
【００２２】
続いて、下記の表１に示す配合率を有する加熱したアスファルト混合物２をフィニッシャ（不図示）によって路盤２０上に敷き均し、そのアスファルト混合物２をローラによって転圧して、アスファルト混合物２の骨材の間に連続した空隙を有する透水性舗装３０を形成する。
【００２３】
【表１】
2007107221.tif 000003
従来から行われている一般的な透水性舗装は、アスファルト混合物の骨材としてトップサイズが１３ｍｍ程度の砕石が用いられ、また、約１５％の空隙率を有している。これに対し、本実施形態における透水性舗装３０は、骨材である砕石のトップサイズが２０ｍｍであり上記の配合率を有するアスファルト混合物２が用いられている。このように、トップサイズが大きい砕石を用いることと、細粒成分を少なく調合することとにより、砕石同士の間に比較的大きな隙間が形成される。そのため、本実施形態における透水性舗装３０は、約２５％である高い空隙率が実現されている。
【００２４】
最後に、透水性舗装３０の上に１０〜２０ｋｇ／ｍ2の量の真砂土３を散布し、レーキおよび刷毛箒を用いて透水性舗装３０の表面が真砂土３で覆われるように真砂土３を平滑に均す。その後、必要に応じて真砂土３上に散水してもよい。透水性舗装３０の上に散布された真砂土３の一部は、透水性舗装３０の空隙内に入り込んでその空隙内に保持される。
【００２５】
以上の工程により、本実施形態の舗装構造が完成する。
【００２６】
上記のように構成された本実施形態の舗装構造によれば、透水性舗装３０が真砂土３によって覆われるため、透水性舗装３０の表面での日光の照り返しがなく、また、日光で温められた透水性舗装３０の表面から放射される輻射熱を抑えることができる。そのため、アスファルトの舗装面が露出した従来の透水性舗装に比べて周囲温度の上昇を抑えることができる。
【００２７】
さらに、本実施形態の舗装構造では真砂土３は透水性舗装３０の上に単に散布しただけの状態で敷設されるので、真砂土の質感が表面に現れ、かつ真砂土が有するさらさらした性質を得ることができるとともに、真砂土そのものが有する透水性および保水性を発揮させることができる。したがって、本実施形態における真砂土３は、真砂土３の粒子の間に生じる毛細管現象によって水分を貯えることができる。真砂土３に貯えられた水分は、舗装構造に日光が照射されたり周囲の気温が上昇したりすると周囲から気化熱を吸収して蒸発し、周囲の気温を低下させる。したがって、真砂土３に定期的に散水することで、例えば夏場でも、舗装構造が施された住居の庭や公園の環境を涼しく保つことが可能になる。この点、真砂土とこれを固める固化材とを混合してなる舗装材を敷設した従来の舗装では、本実施形態のように真砂土のみを敷設した場合に比べて真砂土の粒子の間に保持できる水分の量が少ないため、水分の気化熱を利用して周囲温度を低下させる効果は本実施形態の舗装構造に及ばない。
【００２８】
また、真砂土３は透水性舗装３０のアスファルト混合物２における空隙内に保持されるので、降雨によって真砂土３が雨水を含んだ状態となった場合でもぬかるみが生じることはない。さらに、多量の雨が降った場合には、雨水は、透水性舗装３０を通り、さらには路盤２０や路床１０に排出されるので、舗装構造の上に水溜まりが生じにくくなっている。
【００２９】
加えて、真砂土３は、透水性舗装３０の空隙内に保持されていることから、風雨によって透水性舗装３０から流出することが抑えられている。仮に、風雨等によって透水性舗装３０の表面が露出した場合であっても、透水性舗装３０の表面上に残っている真砂土３を箒などによって均すか、あるいは、露出した部分を覆うだけの少量の真砂土３をその部分に追加散布するといった簡単なメンテナンスを行うだけで、透水性舗装３０の表面を真砂土３で覆った状態を保つことができる。
【００３０】
なお上記では、透水性舗装３０の上に散布されて透水性舗装３０の表面を覆う土として真砂土３を用いた例について説明したが、本実施形態の舗装構造に用いることができる土は真砂土に限られず、他の土を用いることもできる。また、上記では透水性舗装３０の空隙率を約２５％とした例を示したが、その空隙率はその値に限られるものではなく、例えば２３％〜３０％であってもよい。さらに、透水性舗装３０は上記のようなアスファルト舗装に代えてコンクリート舗装としてもよい。
【図面の簡単な説明】
【００３１】
【図１】図１（ａ）は本発明の一実施形態に係る舗装構造の断面を示す図、図１（ｂ）は図１（ａ）におけるアスファルト混合物および真砂土からなる舗装層を拡大して示す図である。
【図２】図１（ａ）に示した舗装構造を舗装する工程を示す図である。
【符号の説明】
【００３２】
１    砕石
２    アスファルト混合物
３    真砂土
１０  路床
２０  路盤
３０  透水性舗装
Ｇ    地面
【図１】
2007107221.tif 000004
【図２】
2007107221.tif 000005